【手続補正書】
【提出日】令和2年12月15日(2020.12.15)
【手続補正１】
【補正対象書類名】明細書
【補正対象項目名】００３９
【補正方法】変更
【補正の内容】
【００３９】
【図１】本発明の第１の実施形態にかかる箱を形成するシートの斜視図である。
【図２】前記第１の実施形態において、蓋部と底部とが開いた箱の斜視図である。
【図３】前記第１の実施形態において、蓋部が開いて底部が半閉じにされた箱の斜視図である。
【図４】前記第１の実施形態において、蓋部が開いて底部が閉じた箱の斜視図である。
【図５】前記第１の実施形態において、蓋部が半閉じにされて底部が閉じた箱の斜視図である。
【図６】前記第１の実施形態において、蓋部と底部とが閉じた箱の斜視図である。
【図７】本発明にかかる箱を形成するシートの異なる実施形態を示す斜視図である。
【図８】本発明にかかる箱を形成するシートの異なる実施形態を示す斜視図である。
【図９】本発明にかかる箱を形成するシートの異なる実施形態を示す斜視図である。
【図１０】本発明にかかる箱を形成するシートの異なる実施形態を示す斜視図である。
【図１１】本発明にかかる箱を形成するシートの異なる実施形態を示す斜視図である。
【図１２】本発明にかかる箱を形成するシートの異なる実施形態を示す斜視図である。
【図１３】本発明にかかる箱を形成するシートの異なる実施形態を示す斜視図である。
【図１４】本発明にかかる箱を形成するシートの異なる実施形態を示す斜視図である。
【図１５】本発明にかかる箱を形成するシートの異なる実施形態を示す斜視図である。
【図１６】蓋部に閉止部材とティアストリップとを具備した本発明にかかる箱の一実施形態において、当該蓋部が半閉じにされた箱の斜視図である。
【図１７】蓋部に閉止部材とティアストリップとを具備した同実施形態において、当該蓋部が閉じて前記ティアストリップが部分的に引き裂かれた箱の斜視図である。
【図１８】内フラップ同士及び外フラップ同士が係合可能な本発明にかかる箱の実施形態を示す斜視図である。
【図１９】本発明にかかる箱の側壁における波形材の通路が鉛直である様子が示された斜視図である。
【図２０】底部又は蓋部の内フラップ−外フラップ間のカップリングの一実施形態の斜視図である。
【図２１】２つの溝と３つのタブとを有する係合可能なフラップの平面図である。
【手続補正２】
【補正対象書類名】明細書
【補正対象項目名】００８３
【補正方法】変更
【補正の内容】
【００８３】
図１９に、前記波形材の前記通路を見せるように前記側壁及び前記蓋部の様々な部位が切り開かれた状態の本発明にかかる箱を示す。
【手続補正３】
【補正対象書類名】明細書
【補正対象項目名】００８４
【補正方法】変更
【補正の内容】
【００８４】
図１９では前記側壁における前記通路が使用時位置にて鉛直であるが、前記側壁における前記通路が使用時位置にて傾斜していてもよい。
【手続補正４】
【補正対象書類名】明細書
【補正対象項目名】００８５
【補正方法】変更
【補正の内容】
【００８５】
図２０に、内フラップ２と外フラップ３との係合構造の一実施形態を示す。この係合構造では、外フラップ３に、内フラップ２に設けられた溝７に収容される少なくとも１つのタブ８が設けられている。
【手続補正５】
【補正対象書類名】明細書
【補正対象項目名】００８７
【補正方法】変更
【補正の内容】
【００８７】
図２１に、２つの溝７及び３つのタブ８，９を有する係合可能なフラップの一実施形態を示す。このフラップは、蓋部１０及び／又は底部１１の前述したどの係合可能なフラップとも置き換えられることが可能である。
【手続補正６】
【補正対象書類名】明細書
【補正対象項目名】００８９
【補正方法】変更
【補正の内容】
【００８９】
本発明の幾つかの具体的な実施形態について言及したが、添付の特許請求の範囲により定まる保護範囲を逸脱しない範囲であれば、説明した保管・輸送箱に対して多数の変形や変更が可能であり、かつ、説明したどの細部も技術的に等価な別の構成に置き換えられてもよく、かつ、別々の実施形態で説明した構成同士が互いに組み合わされてもよいことは、当業者にとって明白である。
なお、本発明は、実施の態様として以下の内容を含む。
［態様１］
互いに平行な複数の通路を形成する波形材の一枚のシートから形成された保管・輸送箱であって、
−２つの内フラップ（２）及び２つの外フラップ（３）を含む蓋部（１０）であって、当該蓋部（１０）の前記フラップのうちの２つが互いに係合可能である蓋部（１０）と、
−底部（１１）と、
−４つの側壁（１２，１３）であって、当該４つの側壁（１２，１３）における前記波形材の前記通路が、当該箱の使用時位置にて鉛直であるか又は傾斜している４つの側壁（１２，１３）と、
を備える保管・輸送箱において、
前記底部（１１）が２つの内フラップ（４）及び２つの外フラップ（５）を含み、前記底部（１１）の前記フラップのうちの２つが互いに係合可能であることを特徴とする保管・輸送箱。
［態様２］
態様１に記載の保管・輸送箱において、係合する前記フラップが、前記蓋部（１０）及び／又は前記底部（１１）の前記内フラップ（２，４）である保管・輸送箱。
［態様３］
態様１に記載の保管・輸送箱において、前記蓋部（１０）及び／又は前記底部（１１）の前記外フラップ（３，５）同士が、当該外フラップ（３，５）の閉位置にて、互いに重ねられているか又は当該外フラップ（３，５）の縁同士で対向している保管・輸送箱。
［態様４］
態様１に記載の保管・輸送箱において、前記蓋部（１０）の前記内フラップ（２）および／または前記底部（１１）の前記内フラップ（４）が、少なくとも２つのタブ（８，９）を形成する少なくとも１つの係合溝（７）を有している保管・輸送箱。
［態様５］
態様４に記載の保管・輸送箱において、前記タブ（８，９）のうちの一つ（８）が、他のタブ（９）よりも長い保管・輸送箱。
［態様６］
態様１に記載の保管・輸送箱において、前記底部（１１）及び／又は前記蓋部（１０）の前記内フラップ（２，４）が、連結部（１４）で前記底部（１１）及び／又は前記蓋部（１０）の前記外フラップ（３，５）と連結している保管・輸送箱。
［態様７］
態様６に記載の保管・輸送箱において、前記連結部（１４）が、三角形状であり、かつ、前記内フラップ（２，４）の折曲げ線を形成している保管・輸送箱。
［態様８］
態様７に記載の保管・輸送箱において、連結部（１４）により形成される前記三角形は直角二等辺三角形である保管・輸送箱。
［態様９］
態様１に記載の保管・輸送箱において、前記蓋部（１０）及び／又は前記底部（１１）の前記外フラップ（３，５）が、閉止部材（１７）を具備している保管・輸送箱。
［態様１０］
態様９に記載の保管・輸送箱において、前記閉止部材（１７）が、両面テープ及び／又は接着剤であるか、あるいは、前記外フラップにおける、前記内フラップに設けられた収容部に導入される突部である保管・輸送箱。
［態様１１］
態様８に記載の保管・輸送箱において、前記蓋部（１０）及び／又は前記底部（１１）の前記外フラップ（３，５）が、少なくとも１つのティアストリップ（６）を具備している保管・輸送箱。
［態様１２］
態様１に記載の保管・輸送箱において、対向する２つの側面（１３）に２つの持ち手開口（１５）を有している保管・輸送箱。
［態様１３］
態様１に記載の保管・輸送箱において、前記底部（１０）及び／又は前記蓋部（１１）の前記外フラップ（３，５）が互いに係合可能である保管・輸送箱。
［態様１４］
態様１３に記載の保管・輸送箱において、前記蓋部（１０）の前記外フラップ（３）および／または前記底部（１１）の前記外フラップ（５）が、少なくとも２つのタブ（８，９）を形成する少なくとも１つの係合溝（７）を有している保管・輸送箱。
［態様１５］
態様１４に記載の保管・輸送箱において、前記タブ（８，９）のうちの一つ（８）が、他のタブ（９）よりも長い保管・輸送箱。
［態様１６］
態様１または２に記載の保管・輸送箱において、係合する前記フラップが、前記底部（１１）の前記内フラップ（４）である保管・輸送箱。
［態様１７］
態様４または１４に記載の保管・輸送箱において、前記少なくとも１つの係合溝（７）が前記フラップ（２，３，４，５）の縁と繋がっており、
前記溝（７）の一端は当該フラップ（２，３，４，５）の当該縁で開口しており、他端は当該フラップ（２，３，４，５）の内側で閉じている保管・輸送箱。
［態様１８］
態様１から１７のいずれか一項に記載の保管・輸送箱において、前記底部（１１）の前記内フラップ（４）が、当該内フラップ（４）の使用時位置にて、前記底部（１１）の前記外フラップ（５）で完全に又はほぼ完全に覆われている保管・輸送箱。
［態様１９］
請求項１８に記載の保管・輸送箱において、前記底部（１１）は、当該底部（１１）の略全面において波形材の厚みが二重になっている保管・輸送箱。
【手続補正７】
【補正対象書類名】図面
【補正対象項目名】全図
【補正方法】変更
【補正の内容】
【図１】
2020533247.tif 000001
【図２】
2020533247.tif 000002
【図３】
2020533247.tif 000003
【図４】
2020533247.tif 000004
【図５】
2020533247.tif 000005
【図６】
2020533247.tif 000006
【図７】
2020533247.tif 000007
【図８】
2020533247.tif 000008
【図９】
2020533247.tif 000009
【図１０】
2020533247.tif 000010
【図１１】
2020533247.tif 000011
【図１２】
2020533247.tif 000012
【図１３】
2020533247.tif 000013
【図１４】
2020533247.tif 000014
【図１５】
2020533247.tif 000015
【図１６】
2020533247.tif 000016
【図１７】
2020533247.tif 000017
【図１８】
2020533247.tif 000018
【図１９】
2020533247.tif 000019
【図２０】
2020533247.tif 000020
【図２１】
2020533247.tif 000021